【手続補正書】
【提出日】平成16年9月30日(2004.9.30)
【手続補正１】
【補正対象書類名】明細書
【補正対象項目名】全文
【補正方法】変更
【補正の内容】
【書類名】        明細書
【発明の名称】    現金管理機能付き自動取引機および現金管理システム
【特許請求の範囲】
【請求項１】
投入口に投入された現金を計数して内部の現金処理部へ収納し、
内部の現金処理部から金庫へ現金を計数して移し替える現金管理機能付き自動取引機であって、
上記現金処理部と金庫の一方または双方の取扱い規制を解除する解除情報を入力する解除情報入力手段を備えた
現金管理機能付き自動取引機。
【請求項２】
金庫のセット時に同金庫の個別に異なる識別情報を電気的に接続して識別する識別手段を備えた
請求項１記載の現金管理機能付き自動取引機。
【請求項３】
金庫のセット時に同金庫の電気的接合不良を判定する判定手段を備えた
請求項２記載の現金管理機能付き自動取引機。
【請求項４】
現金処理部から移し替え金額を指定して金庫に移送する移送手段を備えた
請求項１記載の現金管理機能付き自動取引機。
【請求項５】
現金処理部に指定金額を残して残りの全額を金庫に移し替える移し替え手段を備えた
請求項１記載の現金管理機能付き自動取引機。
【請求項６】
投入口に投入された現金を計数して内部の現金処理部へ収納し、
内部の現金処理部から金庫へ現金を計数して移し替える現金管理機能付き自動取引機と、
上記現金管理機能付き自動取引機から該自動取引機の上記金庫の収納金額情報と、売上げ情報とを受信し、集計して照合管理する照合管理手段を備えた集計機とを有する
現金管理システム。
【請求項７】
投入口に投入された現金を計数して内部の現金処理部へ収納し、
内部の現金処理部から金庫へ現金を計数して移し替える現金管理機能付き自動取引機と、
上記現金管理機能付き自動取引機から該自動取引機の上記現金処理部の収納金額情報と、金庫の収納金額情報と、売上げ情報とを受信し、集計して照合管理する照合管理手段を備えた集計機とを有する
現金管理システム。
【請求項８】
照合管理手段の照合時に照合異常が発生したとき、警報を発する警報手段を備えた
請求項６又は７記載の現金管理システム。
【発明の詳細な説明】
【０００１】
【発明の属する技術分野】
この発明は、例えば駅務の自動券売機で使用されるような現金管理機能付き自動取引機に関し、さらに詳しくは自動取引機で取扱われる現金の計数管理を確実にしてセキュリティ性を高めた現金管理機能付き自動取引機および現金管理システムに関する。
【０００２】
【従来の技術】
一般に、自動取引機で入出金利用される現金の管理に際しては、売上げデータのみを管理しており、入出金して装置内部に収納した保有現金は、後に係員が計数機を用いて計数処理し、これと売上げデータが一致するか否かを照合して確認している。
【０００３】
しかし、このような係員作業に頼って現金を照合管理しているため、保有現金と売上げデータに差異が発生したときは、いつ差異が生じたか不明で、またその発生原因の追及が困難なため信頼性に乏しく、係員の不正行為を完全に阻止するような現金管理手段の開発が望まれていた。
【０００４】
【発明が解決しようとする課題】
そこでこの発明は、取引利用した売上げデータと装置内部の各部の保有金額とを計数管理して現金を正確に管理する現金管理機能付き自動取引機および現金管理システムの提供を目的とする。
【０００５】
【課題を解決するための手段】
請求項１記載の発明は、投入口に投入された現金を計数して内部の現金処理部へ収納し、内部の現金処理部から金庫へ現金を計数して移し替える現金管理機能付き自動取引機であって、上記現金処理部と金庫の一方または双方の取扱い規制を解除する解除情報を入力する解除情報入力手段を備えたことを特徴とする。
【０００６】
請求項２記載の発明は、金庫のセット時に同金庫の個別に異なる識別情報を電気的に接続して識別する識別手段を備えた現金管理機能付き自動取引機であることを特徴とする。
【０００７】
請求項３記載の発明は、金庫のセット時に同金庫の電気的接合不良を判定する判定手段を備えたことを特徴とする。
【０００８】
請求項４記載の発明は、現金処理部から移し替え金額を指定して金庫に移送する移送手段を備えたことを特徴とする。
【０００９】
請求項５記載の発明は、現金処理部に指定金額を残して残りの全額を金庫に移し替える移し替え手段を備えたことを特徴とする。
【００１０】
請求項６記載の発明は、投入口に投入された現金を計数して内部の現金処理部へ収納し、内部の現金処理部から金庫へ現金を計数して移し替える現金管理機能付き自動取引機と、上記現金管理機能付き自動取引機から該自動取引機の上記金庫の収納金額情報と、売上げ情報とを受信し、集計して照合管理する照合管理手段を備えた集計機とを有する現金管理システムであることを特徴とする。
【００１１】
請求項７記載の発明は、投入口に投入された現金を計数して内部の現金処理部へ収納し、内部の現金処理部から金庫へ現金を計数して移し替える現金管理機能付き自動取引機と、上記現金管理機能付き自動取引機から該自動取引機の上記現金処理部の収納金額情報と、金庫の収納金額情報と、売上げ情報とを受信し、集計して照合管理する照合管理手段を備えた集計機とを有する現金管理システムであることを特徴とする。
【００１２】
請求項８記載の発明は、照合管理手段の照合時に照合異常が発生したとき、警報を発する警報手段を備えた現金管理システムであることを特徴とする。
【００１３】
【作用】
この発明によれば、自動取引機に現金が投入されたとき、投入された現金を計数して内部の現金処理部に収納し、内部の現金処理部から金庫へ現金を計数して移し替えることにより入出金取引金額を計数管理し、このようにして現金を保有する現金処理部か金庫の一方または双方の取扱い規制を係員が解除情報入力手段により解除操作するようにしたので、この解除情報が付与された係員だけが現金を取扱い操作できる。
【００１４】
また、金庫の取扱いに際しては、金庫のセット時に同金庫の個別に異なる識別情報を識別手段により電気的に接続して特定の金庫であることを識別する。
【００１５】
さらに、この金庫のセット時に、同金庫の電気的接合不良があれば、これを判定手段が判定する。  
また、現金処理部から現金を金庫に移し替えるときは、金額を指定して移送手段の移送作用により移し替える。
【００１６】
同じく、現金処理部から現金を金庫に移し替えるときは、移し替え手段が現金処理部に指定金額を残して残りの全額を金庫に移し替える。  
また、運用金額を照合する際、現金処理部の収納金額情報と金庫の収納金額情報と売上げ情報とを集計して照合管理手段が照合管理する。  
この照合管理手段の照合時に照合異常が発生したとき、警報手段が警報を発する。
【００１７】
【発明の効果】
この結果、自動取引機は内部の現金処理部と金庫について個別に計数管理するため、これらを係員が取扱ったときは、その旨を日常業務において特定できる。
【００１８】
また、現金処理部か金庫の一方または双方を取扱うには係員がＩＤコードやパスワード等の解除情報を入力操作しなければ取扱うことができない現金管理構成のため、収納金額情報と売上げ情報との間に差異が発生したとき、その発生原因を論理的に追及して解明でき、それゆえ係員の誤操作や不正行為を解消して信頼性が高くなり、係員による現金トラブルを確実に抑制することができる。
【００１９】
また、金庫毎に専用の金庫ＩＤコード等の個別の識別情報を持たせて識別できるため、金庫別の現金管理ができる。さらに、金庫のセット時に同金庫の識別情報を電気的に接続して識別するようにすれば、セット動作に連動して金庫の現金管理ができ、また金庫を取扱った解除情報から係員も特定できる。
【００２０】
さらに、この金庫のセット時に、同金庫の電気的接合不良があれば、これを判定してその旨を知らせることができるため、誤識別や悪用（不正行為）を回避することができる。
【００２１】
また、現金処理部から現金を金庫に移し替える際は、金額を指定して移し替えることができるため、現金処理部および金庫の収納金額を考慮した最適な金額を移し替えることができる。同じく、現金処理部から現金を金庫に移し替える際は、現金処理部に指定金額を残して残りの全額を金庫に移し替えることができるため、自動取引機の運用に必要な金額を残して運用維持を図りながら収納処理できる。
【００２２】
また、運用金額を照合する際は、現金処理部の収納金額情報と金庫の収納金額情報と売上げ情報とを集計して照合管理することができるため、係員による不正報告や人手による誤照合を回避することができ、またこの照合時に照合異常が発生したとき警報を発するように設定すれば、直ちに照合異常が判明して、その原因を解明することができる。
【００２３】
【実施例】
この発明の一実施例を以下図面に基づいて詳述する。  
図１は鉄道等の駅務に設置される現金管理機能付き自動券売機１１を示し、この現金管理機能付き自動券売機１１は、同機前面の接客パネル１２に、案内表示器１３と、購入選択ボタン１４…と、硬貨投入口１５と、紙幣挿入口１６と、カード挿入口１７と、券放出口１８と、受皿１９等を配置して、顧客の券購入操作を許容し、この券購入操作に基づいて発券動作し、このときに投入された紙幣または硬貨の現金を装置内部に受入れて収納し、釣銭が必要あれば釣銭を放出している。
【００２４】
また、同機背面側の内部には図示しない係員パネルを配設して、係員による現金の補充、回収、点検作業等の取扱い操作を許容している。
【００２５】
図２は硬貨の補充回収時に着脱利用される収納カセット２１を示し、この収納カセット２１は正面に硬貨を出入れ操作する正面扉２２と、配線接続用の配線プラグ２３を設け、背面にカセットＩＤ番号表示部２４と取っ手２５を設け、上面に硬貨を上方より落下させて受入れる受入れ口２６と、そのシャッタ２７およびシャッタ自動ロック機構２８を備えている。図中、２９は上面シャッタ操作キー、３０は正面シャッタ操作キーを示す。
【００２６】
図３は現金管理機能付き自動券売機１１の現金管理システムを示し、これは現金管理機能付き自動券売機１１の通信装置３１と集計機３２の通信装置３３とを無線で通信接続して、自動券売機の売上げデータと、その自動券売機に内蔵されている現金処理装置３４の収納金額データと、硬貨や紙幣の各収納カセット２１の収納金額データとを集計機３２に送信し、これらのデータを集計機３２が集計管理して照合確認し、このような照合操作を自動券売機毎に行って、各自動券売機１１の現金３５を管理している。
【００２７】
この場合、自動券売したときに取扱われる投入金額は現金処理装置３４または収納カセット２１に収納され、現金処理装置３４からは釣銭が放出される。このように変動する現金処理装置３４と収納カセット２１の収納金額については個別に計数管理して、自動券売機の現時点の各位置に分配されている収納金額を正確に計数管理する。この計数管理データが自動券売機１１の制御部および集計機３２の制御部で記憶更新されてデータ管理される。
【００２８】
また、現金処理装置３４と収納カセット２１に収納されている現金を取扱い許容された係員には係員ＩＤコードとパスワードとの解除情報が予め設定されており、この解除情報を入力操作しなければ取扱うことができないため、解除情報を入力して係員が取扱ったときは、取扱い日時や取扱い金額に加えて取扱い者を日常業務において特定できる。
【００２９】
また、係員が自動券売機１１から収納カセット２１を取外して集計機３２にセットし、ここで収納カセット２１の現金を計数チェックしたとき、自動券売機の収納金額データと売上げデータとの間に差異が発生すると、その発生原因をそれまでに入力された解除情報や計数管理データから論理的に追及して正確に解明することができる。従って、係員の誤操作や不正行為が即座に判明するため係員の不正抑制効果が確実に得られ、信頼性が高くなり係員による現金トラブルを確実に抑制することができる。
【００３０】
さらに、自動券売機１１…毎に現金処理装置３４と収納カセット２１の収納金額を個別に計数管理するため、現金処理装置３４から現金を収納カセット２１に移し替える必要性が生じた場合は、移し替えに適した金額を指定して移し替えることができる。また、自動券売機１１を運用維持する必要最小限の金額を現金処理装置３４に残して、残りの全額を収納カセット２１に移し替えて現金を他の用途に有効利用することもできる。
【００３１】
図４は集計機３２の制御回路ブロック図を示し、ＣＰＵ４１はＲＯＭ４２に格納されたプログラムに沿って各回路装置を制御し、その制御データをＲＡＭ４３で読出し可能に記憶する。
【００３２】
ＣＰＵ４１は遠隔位置で各自動券売機１１…のデータを集計管理するだけでなく、収納カセット２１が集計機３２にセットされたとき、同カセット２１に設けた配線プラグ２３が集計機３２のコネクタソケット４４に接続対応して電気的に接続される。このため、収納カセット２１を装着すると同時に、集計機３２のカセットＩＤ情報判定部４５が同カセットのＩＤ番号を識別して収納カセットを特定する。
【００３３】
すなわち、ＣＰＵ４１は収納カセット２１のセット時に、機械的だけでなく電気的にも接続されるため同カセットの識別情報をセット動作に連動して識別できる。このため、セットした収納カセット２１を直ちに特定してデータ管理でき、また収納カセットを取扱った係員の解除情報から係員を的確に特定できる。
【００３４】
さらに、この収納カセット２１のセット時に、同カセットの電気的接合不良があれば、これを電気的接合判定部４６で判定して、その旨を係員に知らせることができるため、誤セット操作や悪用（不正行為）を確実に回避することができる。
【００３５】
ところで、ＲＡＭ４３にはカセット照合テーブル４９を設定しており、このカセット照合テーブル４９は、例えば集計機３２のコネクタソケット４４（収納カセット２１の配線プラグ２３に対応）で取扱われるカセット通信番号１〜１６の内、１〜１２をカセットＩＤ情報識別用に定義し、１３〜１６をカセット接合不良識別用および悪用検知識別用に定義している。このテーブルの定義に従って、カセットの電気的接合状態の適否が電気的接合判定部４６で判定されることにより、係員による誤計数や悪用を回避することができる。  
なお、カセット識別手段、および電気的接合状態の判定手段について、上記では集計機３２において説明したが、自動券売機１１においても同様である。
【００３６】
また、係員による適正なＩＤコードやパスワード等の解除情報が券売機の係員パネルに入力されると、この収納カセット２１のロックが解除されて内部の現金の取扱いが許容され、係員は正面扉２２を開口して現金を補充操作または回収操作する。
【００３７】
また、集計機３２で売上げデータを照合確認する際は、収納カセットが装着されていた自動券売機１１のデータを照合する。これは現金処理装置３４の収納金額データと、収納カセット２１の収納金額データと、売上げデータとを、売上げデータ照合部４７で照合する。このとき、異常があれば、この集計時点で異常を検出する。従って、係員による不正報告を抑制し、また係員による誤照合を回避することができる。また、ブザー等の警報器４８を併設しておけば、照合異常が発生したときに警報を発して直ちに照合異常が判明する。
【００３８】
上述のように、現金管理機能付き自動券売機は内部の現金処理装置と収納カセットについて個別に計数管理することができるため、自動券売機の現時点の各位置に分配されている収納金額を正確に計数管理することができる。従って、係員が取扱ったときは、その旨を正確に特定できる。また、現金処理装置や収納カセットを取扱う係員は係員ＩＤコードやパスワード等の解除情報を入力操作しなければ取扱うことができない現金管理構成のため、収納金額データと売上げデータとの間に差異が発生したときは、その発生原因を論理的に追及して解明できる。それゆえ、係員の誤操作や不正行為を解消して信頼性が高くなり、係員による現金トラブルを確実に抑制することができる。
【００３９】
また、収納カセット毎に個別のカセットＩＤ番号を持たせて識別できるため、カセット別の現金管理ができ、さらに収納カセットのセット時に同カセットの識別情報を電気的に接続して照合確認するため、セット動作に連動して収納カセットの現金管理ができ、また収納カセットを取扱った解除情報から係員も特定できる。さらに、この収納カセットのセット時に、同カセットの電気的接合不良があれば、これを判定してその旨を知らせることができるため、正常なセット操作を確実に行うことができ、誤識別や悪用（不正行為）を完全に回避することができる。
【００４０】
また、現金処理装置から現金を収納カセットに移し替える際は、移し替え金額を指定して移し替えることができるため、現金処理装置および収納カセットの収納金額を考慮した最適な金額を移し替えることができる。同じく、現金処理装置に指定金額を残して、残りの全額をカセットに移し替えることができるため、自動券売機の運用に必要な金額を残して運用維持を図りながら移し替えができる。
【００４１】
また、売上げデータを照合する際は、現金処理装置の収納金額データと収納カセットの収納金額データと売上げデータとを集計して照合管理することができるため、係員による不正報告を抑制し、また係員による誤照合を回避することができ、さらにこの照合時に照合異常が発生すれば、警報器で警報出力するため、直ちに照合異常が判明し、履歴データから異常原因を容易に解明することができる。
【００４２】
この発明と、上述の実施例の構成との対応において、
この発明の現金管理機能付き自動取引機は、実施例の現金管理機能付き自動券売機１１に対応し、
以下同様に、
現金処理部は、現金処理装置３４に対応し、
金庫は、収納カセット２１に対応し、
解除情報は、係員ＩＤコードやパスワードに対応し、
解除情報入力手段は、係員パネルの入力機能に対応し、
識別情報は、カセットＩＤ情報に対応し、
識別手段は、カセットＩＤ情報判定部４５に対応し、
判定手段は、電気的接合判定部４６およびカセット照合テーブル４９に対応し、
移送手段および移し替え手段は、自動券売機１１の制御機能に対応し、
照合管理手段は、売上げデータ照合部４７に対応し、
警報手段は、警報器４８に対応するも、この発明は請求項に示される技術的思想に基づいて応用することができ、上述の一実施例の構成のみに限定されるものではない。
【図面の簡単な説明】
【図１】
この発明の現金管理機能付き自動券売機の一例を示す外観斜視図。
【図２】
この発明の現金管理機能付き自動券売機に内蔵される収納カセットの外観斜視図。
【図３】
この発明の現金管理システムの制御回路ブロック図。
【図４】
この発明の集計機の制御回路ブロック図。
【符号の説明】
１１…現金管理機能付き自動券売機
１５…硬貨投入口
１６…紙幣挿入口
２１…収納カセット
２３…配線プラグ
２４…カセットＩＤ番号表示部
３２…集計機
３４…現金処理装置
３５…現  金
４１…ＣＰＵ
４４…コネクタソケット
４５…カセットＩＤ情報判定部
４６…電気的接合判定部
４７…売上げデータ照合部
４８…警報器
４９…カセット照合テーブル